(57)【要約】  詰まった回転部材に応答して自動的に詰り排除作用を適用するためのシステムと方法は、検出された詰りに応答して脈動トルクを加えることを含み、その上、回転方向の逆転を加えることもできる。
2007534486.tif 000002
【特許請求の範囲】
【請求項１】
食品廃棄物ディスポーザを操作するための方法であって、
食品廃棄物ディスポーザの回転シュレッダプレートが詰まっているかどうかを自動的に決定すること、および
回転シュレッダプレートが詰まっている場合には、回転シュレッダプレートに脈動トルクを加えることを含む方法。
【請求項２】
回転シュレッダプレートが詰まっている場合には、回転シュレッダプレートの回転方向を逆転することをさらに含む、請求項１に記載の方法。
【請求項３】
回転シュレッダプレートが詰まっているかどうかを自動的に決定することは、回転シュレッダプレートが、所定の時間期間中に所定の速度に達しているかどうかを決定することを含む、請求項１に記載の方法。
【請求項４】
回転シュレッダプレートが詰まっているかどうかを自動的に決定することは、回転シュレッダプレートが、所定の回転速度未満に落ちているかどうかを決定することを含む、請求項１に記載の方法。
【請求項５】
脈動トルクが所定の時間期間の間加えられる、請求項１に記載の方法。
【請求項６】
回転シュレッダプレートが詰まっているかどうかを自動的に決定することが、回転シュレッダプレートを駆動するモータの巻線を監視することを含む、請求項１に記載の方法。
【請求項７】
巻線を監視することが、巻線における電流を監視することを含む、請求項６に記載の方法。
【請求項８】
巻線を監視することが、モータのラン巻線を監視することを含む、請求項６に記載の方法。
【請求項９】
巻線を監視することが、モータの始動巻線を監視することを含む、請求項６に記載の方法。
【請求項１０】
食品廃棄物ディスポーザの初期始動時に詰りが決定された場合には、回転シュレッダプレートの回転方向を逆転することが、モータの起動巻線に通電することを含む、請求項２に記載の方法。
【請求項１１】
脈動トルクを加えることが、ＳＣＲを作動することを含む、請求項１に記載の方法。
【請求項１２】
ＳＣＲが、正または負の半サイクルの１つの間に作動される、請求項１１に記載の方法。
【請求項１３】
シャフトを駆動するモータと、
食品廃棄物をすりつぶすためにシャフトによって回転されるシュレッダプレートと、
モータに結合されて、シュレッダプレートが詰まっているかどうかを決定し、詰りに応答してシュレッダプレートに脈動トルクを加える制御装置とを含む、食品廃棄物ディスポーザ。
【請求項１４】
制御装置が、詰りに応答してシュレッダプレートの回転方向を逆転させる、請求項１３に記載の食品廃棄物ディスポーザ。
【請求項１５】
制御装置が、回転するシュレッダプレートの速度を監視して、シュレッダプレートが詰まっているかどうかを決定する、請求項１３に記載の食品廃棄物ディスポーザ。
【請求項１６】
制御装置は、回転するシュレッダプレートが所定の時間期間中に所定の速度に達したかどうかを決定する、請求項１５に記載の食品廃棄物ディスポーザ。
【請求項１７】
制御装置は、回転するシュレッダプレートが所定の回転速度未満に落ちたかどうかを決定する、請求項１５に記載の食品廃棄物ディスポーザ。
【請求項１８】
制御装置が、所定の時間期間の間脈動トルクを加える、請求項１３に記載の食品廃棄物ディスポーザ。
【請求項１９】
モータがラン巻線を含み、制御装置が、ラン巻線を監視して、回転するシュレッダプレートが詰まっているかどうかを決定する、請求項１３に記載の食品廃棄物ディスポーザ。
【請求項２０】
制御装置が、ラン巻線における電流を監視する、請求項１９に記載の食品廃棄物ディスポーザ。
【請求項２１】
モータが始動巻線を含み、制御装置が、始動巻線を監視して、回転するシュレッダプレートが詰まっているかどうかを決定する、請求項１３に記載の食品廃棄物ディスポーザ。
【請求項２２】
制御装置が、始動巻線における電流を監視する、請求項２１に記載の食品廃棄物ディスポーザ。
【請求項２３】
ＳＣＲをさらに含み、制御装置が、ＳＣＲを作動して脈動トルクを発生させる、請求項１３に記載の食品廃棄物ディスポーザ。
【請求項２４】
モータが始動巻線を含み、ＳＣＲが始動巻線に並列に接続される、請求項２３に記載の食品廃棄物ディスポーザ。
【請求項２５】
始動巻線に直列に接続された始動コンデンサをさらに含む、請求項２４に記載の食品廃棄物ディスポーザ。
【請求項２６】
ＳＣＲのゲート端子に接続された発振器をさらに含む、請求項２３に記載の食品廃棄物ディスポーザ。
【請求項２７】
回転するシュレッダプレートが、該シュレッダプレートに取り付けられた複数の突起を含む、請求項１３に記載の食品廃棄物ディスポーザ。
【請求項２８】
モータが、誘導モータである、請求項１３に記載の食品廃棄物ディスポーザ。
【請求項２９】
モータが、ブラシレス永久磁石モータである、請求項１３に記載の食品廃棄物ディスポーザ。
【請求項３０】
モータが、直流モータである、請求項１３に記載の食品廃棄物ディスポーザ。
【請求項３１】
モータによって駆動される詰まった回転部材を解放するための方法であって、
モータの巻線を監視して、回転部材が詰まっているかどうかを自動的に検出すること、および
検出された詰りに応答して回転部材に脈動トルクを加えることを含む方法。
【請求項３２】
検出された詰りに応答して、回転部材の回転方向を逆転させることをさらに含む、請求項３１に記載の方法。
【請求項３３】
巻線が監視されて、回転部材が所定の時間期間中に所定の速度に達したかどうかを決定する、請求項３１に記載の方法。
【請求項３４】
巻線が監視されて、回転部材が所定の回転速度未満に落ちたかどうかを決定する、請求項３１に記載の方法。
【請求項３５】
脈動トルクが、所定の時間期間の間加えられる、請求項３１に記載の方法。
【請求項３６】
巻線を監視することが、巻線における電流を監視することを含む、請求項３１に記載の方法。
【請求項３７】
巻線を監視することが、ラン巻線を監視することを含む、請求項３１に記載の方法。
【請求項３８】
巻線を監視することが、始動巻線を監視することを含む、請求項３１に記載の方法。
【請求項３９】
回転部材の初期始動によって詰りが検出された場合に、シュレッダプレートの回転方向を逆転させることが、モータの起動巻線に通電することを含む、請求項３２に記載の方法。
【請求項４０】
脈動トルクを加えることが、ＳＣＲを作動することを含む、請求項３１に記載の方法。
【請求項４１】
ＳＣＲが、正または負の半サイクルの１つの間に作動される、請求項４０に記載の方法。
【請求項４２】
シャフトを駆動し、かつ通電可能な巻線を含むモータと、
モータに結合された制御装置とを含むモータシステムであって、前記制御装置が、巻線を監視して、シャフトに連結された回転部材が詰まっているかどうかを検出し、詰りに応答して、シャフトに脈動トルクを加える、モータシステム。
【請求項４３】
制御装置が、検出された詰りに応答してシャフトの回転方向を逆転させる、請求項１に記載のシステム。
【請求項４４】
制御装置は、シャフトが所定の時間期間中に所定の速度に達したかどうかを決定する、請求項１に記載のシステム。
【請求項４５】
制御装置は、シャフトが所定の回転速度未満に落ちたかどうかを決定する、請求項１に記載のシステム。
【請求項４６】
制御装置が、脈動トルクを所定の時間期間の間加える、請求項１に記載のシステム。
【請求項４７】
制御装置が、巻線における電流を監視する、請求項１に記載のシステム。
【請求項４８】
巻線がラン巻線を含み、制御装置がラン巻線を監視する、請求項１に記載のシステム。
【請求項４９】
巻線が始動巻線を含み、制御装置が始動巻線を監視する、請求項１に記載のシステム。
【請求項５０】
制御装置が、ＳＣＲを作動して脈動トルクを加える、請求項１に記載のシステム。
【請求項５１】
制御装置が、ＳＣＲを正または負の半サイクルの１つの間に作動する、請求項５０に記載のシステム。
【請求項５２】
モータが、誘導モータである、請求項１に記載のシステム。
【請求項５３】
モータが、ブラシレス永久磁石モータである、請求項１に記載のシステム。
【請求項５４】
モータが、直流モータである、請求項１に記載のシステム。
【発明の詳細な説明】
【技術分野】
【０００１】
本開示は、食品廃棄物ディスポーザのすりつぶし機構の回転部分などの回転装置に関する。
【背景技術】
【０００２】
モータの回転部材が詰まりやすい多くのモータ適用分野がある。これは、水ポンプ、食器洗い機、食品加工設備、食品廃棄物ディスポーザなどの適用分野において特に一般的であり得る。
【０００３】
例えば食品廃棄物ディスポーザは、食品屑を、家庭用排水管路を安全に通過するのに十分に小さな粒子に粉砕するために使用される。従来のディスポーザは、食品搬送部と、モータ部と、食品搬送部とモータ部との間に配置されたすりつぶし機構とを含む。食品搬送部は、食品廃棄物と水を受け入れる入口を形成するハウジングを含む。食品搬送部は、食品廃棄物をすりつぶし機構に搬送し、モータ部は、モータシャフトに回転運動を与えてすりつぶし機構を作動するモータを含む。
【０００４】
粉砕を実施するすりつぶし機構は、一般的に、複数の突起と静止すりつぶしリングを有する回転シュレッダ組立体から構成される。モータは、シュレッダプレートを回転させ、突起は、食品廃棄物をすりつぶしリングに対して押し付け、ここで食品廃棄物は壊されて小片になる。粒子が、すりつぶし機構から出るために十分に小さくなると、粒子は、家庭用排水管路の中に流出する。
【０００５】
回転シュレッダ組立体上の固定突起を利用するすりつぶし機構は、牛肉の骨などの硬い食品廃棄物をすりつぶすときに、しばしば詰まり（ジャム）やすい。誘導モータの使用は、その失速トルクが比較的低いので、詰りを経験する確率に寄与することがある。詰りの発生を減少させるために、詰りが起り得る前にじゃまにならない所に移動する、旋回式または回転可能な突起が使用される。しかし、旋回突起によれば、食品廃棄物に移るエネルギーは少なく、したがって結果として妥協したすりつぶし性能となり、やはり詰りは伴う。
【０００６】
詰りを解放するために、いくつかの知られているシステムは、ディスポーザが「詰まった状態」になったときに、モータから脈動トルクを発生する技術を使用する。このような従来の技術は、米国特許第３９７０９０７号に記載されており、この特許は参照として本明細書に組み込まれている。この技術は、コンデンサ起動モータの始動巻線（ｓｔａｒｔ  ｗｉｎｄｉｎｇ）の両端間にダイオードを並列に接続して、脈動トルクを発生させる。しかし並列ダイオードは、起動中に適用することはできない。適用できる場合には、モータを、全速に加速することはできず、ディスポーザの能力は大幅に低下する。これは、すりつぶし機構の詰りが発生した後に適用できるのみである。起動の問題があるので、並列ダイオードは、消費者が、ディスポーザ組立体に位置するボタンを押すときにのみ接続される。さらにまた、詰りを解放するためのこの種の知られているシステムは、ユーザの介入を必要とし、ディスポーザが詰まっていることを操作者が気付くと、ユーザが脈動トルクを作動しなければならない。
【発明の開示】
【発明が解決しようとする課題】
【０００７】
本出願は、従来の技術に関連するこれらの欠点に取り組むものである。
【０００８】
とりわけ、本開示は、消費者による手動介入がまったくない、食品廃棄物ディスポーザの回転するつぶしプレートなどの回転部材の詰りを解決する自動的方法を提供する。脈動トルクを自動的に発生することや回転方向を逆転するなどの作用が、非常に高い割合で詰りを解決し、システムの使用寿命を通じて、詰りの解決における必要な手動介入を最小限に抑える。
【課題を解決するための手段】
【０００９】
従来の技術による技術と比較していくつかの利点がある。例えば、本明細書に開示された装置と方法によれば、モータが失速するか詰りが起ると、回路が自動的に検知する。モータは自動的に逆転し、これが詰りを解放しない場合には、脈動トルクが自動的に発生する。これらの作用はすべて自動的であるから、ユニットの操作者による手動作用は必要とせず、さらにモータの正常な始動を妨げない。
【００１０】
本開示のいくつかの教示によれば、食品廃棄物ディスポーザなどの、モータによって駆動される装置を操作するための方法が提示される。この方法は、食品廃棄物ディスポーザのシュレッダプレートが詰まったかどうかを決定することを含む。シュレッダプレートが詰まった場合には、脈動トルクが、シュレッダプレートに加えられる。脈動トルクを所定の時間期間の間加えてもよい。さらに、シュレッダプレートの回転方向は、あるいくつかの実施形態では逆転される。
【００１１】
回転するシュレッダプレートが詰まったかどうかを決定するために、シュレッダプレートの速度が監視される。この速度が、所定の時間期間中に所定の速度に達しなかった場合、または所定の速度未満に落ちた場合には、詰りであることが指示される。いくつかの実施形態において、ディスポーザのモータのラン巻線（ｒｕｎ  ｗｉｎｄｉｎｇ）および／または始動巻線が、監視される。
【００１２】
本開示のさらに別の教示によれば、食品廃棄物ディスポーザなどのシステムは、食品廃棄物をすりつぶすためのシュレッダプレートを回転させるシャフトを駆動するモータを含む。制御装置は、モータに結合されて、シュレッダプレートが詰まったかどうかを決定する。詰りに応答して、制御装置は、脈動トルクをシュレッダプレートに加える。いくつかの実施形態において、脈動トルクが、所定の時間期間の間加えられる。制御装置は、またシュレッダプレートの回転方向を逆転させてもよい。
【００１３】
ある例示的な実施形態では、制御装置は、回転するシュレッダプレートの速度を監視して、シュレッダプレートが詰まったかどうかを決定する。例えば制御装置は、回転するシュレッダプレートが、所定の時間期間中に所定の速度に達したか、または回転するシュレッダプレートが、所定の回転速度未満に落ちたかどうかを決定することができる。
【００１４】
さらに別の例示的な実施形態では、制御装置は、モータのラン巻線および／または始動巻線を監視して、シュレッダプレートが詰まっているかどうかを決定する。脈動トルクを加えるために、例えば制御装置は、モータの始動巻線と並列に接続されたＳＣＲを作動してもよい。始動コンデンサを始動巻線に直列に接続することもできる。さらに別の実施形態では、発振器が、ＳＣＲのゲート端子に接続される。
【００１５】
本発明のその他の目的および利点は、下記の詳細な説明を読み、図面を参照することによって明らかになろう。
【００１６】
本発明は、様々な変更および代替形式が可能であるが、本発明の特定の実施形態を図面に例として示し、本明細書では詳細に説明した。しかし、本明細書における特定の実施形態の説明は、本発明を開示された特定の形態に限定しようとするものではなく、本発明は、反対に本発明の精神と範囲の中に入るすべての変更、均等物、および代替実施形態を網羅するものであることが理解されるべきである。
【発明を実施するための最良の形態】
【００１７】
本発明の例証的な実施形態を、以下に説明する。わかりやすくするために、本明細書では、実際の実施のすべての特徴は説明しない。もちろん、任意のこのような実際の実施形態の開発において、多くの実施に特定の決定を行って、実施ごとに異なるシステムに関連する制約およびビジネスに関連する制約とのコンプライアンスなどの、開発者の特定の目標を達成しなければならないことは理解されよう。さらにまた、このような開発の努力は、複雑で時間がかかることもあるが、それでも本開示の利益を受ける当業者にとってルーチン作業であることは理解されよう。
【００１８】
図１は、本開示のいくつかの教示による食品廃棄物ディスポーザシステムを、概念的に図示する概略図である。食品廃棄物ディスポーザ１００は、食品搬送部１０２と、食品搬送部とモータ部１０４との間に配置されたすりつぶし機構１１０とを含む。食品搬送部１０２は、食品廃棄物と水を受け入れるための入口を含む。食品廃棄物は、すりつぶし機構１１０に搬送され、モータ部１０４は、モータシャフト１１８に回転運動を与えてすりつぶし機構１１０を動かすモータ１１９を含む。モータは、誘導モータ、ブラシレス永久磁石モータ（ＢＬＰＭ）、直流モータなど、どのような適当なモータであってもよい。
【００１９】
すりつぶし機構１１０は、モータシャフト１１８によって静止すりつぶしリングに対して回転して、食品搬送部によって送られる食品廃棄物を小片に細かくする、回転シュレッダプレート組立体１１２を含む。シュレッダプレートは、シュレッダプレートから延びて、食品廃棄物をすりつぶしリングに対して押し付ける複数の突起１１４を含む。食品廃棄物が十分に小さな粒状物に細かくされると、粒状物は、シュレッダプレート組立体１１２の上方から通過し、次いで食品搬送部を通過する水と共に、ディスポーザから排出出口１２０を通って排出される。制御装置２００が、モータに接続されて、ディスポーザ１００の動作を制御する。制御装置２００は、ディスポーザハウジングの内部に置くこともできるが、図１では、簡単にするためにディスポーザハウジングの外部に示されている。
【００２０】
図２は、モータ１１９の部分を示し、これはラン巻線１３０と、始動コンデンサ１３４に接続された始動巻線１３２とを含む。モータ１１９は、ユーザが操作するオン／オフスイッチ１４０に応答して、電源１３６から電力を受ける。制御装置２００は、電力の印加を制御するために巻線に接続されて、回転部分（回転子）を固定部分（固定子）に対して回転させ、回転シュレッダプレート１１２に連結されたシャフト１１８を回転させる。さらに、制御装置２００は、巻線１３０、１３２に印加される電力を監視するために接続され、必要に応じて詰り排除動作を実施する。
【００２１】
図３は、ディスポーザ１００の回転シュレッダプレート１１２などの詰まった回転部材を自動的に解放する方法を概念的に示す簡略化された流れ図である。本開示のあるいくつかの態様によれば、制御装置２００は、モータの動作を監視して、回転シュレッダプレート１１２が詰まったかどうかを決定する（ブロック１０）。シュレッダプレート１１２が、決定ブロック１２において決定されるように詰まった場合には、ブロック１４において、回転方向が逆転され、脈動トルクが、モータ１１９によってシュレッダプレート１１２に加えられる。
【００２２】
食品廃棄物ディスポーザのすりつぶし機構１１０の回転シュレッダプレート１１２などの回転部材が、所定の時間期間中にその所望の動作速度に達しない場合、または回転部材の速度が、所望の動作速度未満に落ちた場合には、回転部材は詰まっていると考えてもよい。モータによって駆動される回転部材を使用するどの機構においても、回転部材を動かなくするかまたは詰まらせる多くの状況がある。本明細書において上述の背景部分において論述したように、詰りは、食品粒子またはその他の硬い物体が、すりつぶし機構の突起と静止部分との間に挟まれたときに、食品廃棄物ディスポーザの回転すりつぶし機構で起り得る。
【００２３】
詰りの検知に応答して、制御装置２００は、シュレッダプレート１１２の回転方向を逆転し、脈動トルクが、所定の時間期間の間シュレッダプレート１１２に加えられ、詰りを解放する。本明細書に開示される例示的な実施形態では、モータのラン巻線１３０が、監視されて、回転部材が所望の速度でまたはそれを超える速度で動作しているかどうかを決定する。その他の実施形態では、モータの始動巻線１３２が監視されて、回転部材が、所望の速度でまたはそれを超える速度で動作しているかどうかを決定する。通常、いったんモータ１１９が所望の速度に到達すると、電流は始動巻線１３２から除去される。通常の状況では、モータ１１９は、所定の時間期間内に所望の速度に到達しなければならない。したがって、電流または電圧が、この所定の時間期間より長く始動巻線１３２に加えられる場合には、回転部材１１２が所望の速度に達することを詰りが阻んでいると考えてもよい。
【００２４】
図４Ａおよび図４Ｂは、例示的な一実施形態による電子回路３００を示し、図５Ａおよび図５Ｂは、対応する流れ図を示す。回路３００は、モータ１１９を電気的に始動し、モータ１１９の回転部分が詰まると、自動的に逆転させて脈動トルクを作動させるように機能する。回路における新規な検知技術によって、モータは通常の状況下で始動することができる。
【００２５】
ディスポーザ１００が使用されないときは、オン／オフスイッチ１４０は開いており、モータプロテクタは閉じられ、電子回路に電流は流れない。ユーザが、オン／オフスイッチ１４０を閉じることによって、モータ１１９と電子回路３００に電力を加えると、電子回路３００は、ラン巻線１３０における電流を検知する。電流が所定のレベルに達すると、始動継電器が、ある所定の時間期間の間に、図示の実施形態では２００ｍｓだけ作動される。電子回路３００は、ラン巻線１３０における電流低下を検査する。モータ１１９が速度を高めたときに起る、電流が所定の値未満に落ちた場合、電子回路３００は、ランモードになり、オン／オフスイッチ１４０が、ユーザによって開かれて電流が電子回路を流れなくなるまで、ラン巻線１３０の電流を監視する。いったん電子回路３００が、ラン巻線１３０における電流を検知しなくなると、これはメモリの中に（約１分間）最後の回転方向を保持し、再び作動されると、継電器３１０を切り替えてモータを反対方向に始動する。１分後に再作動される場合には、回転方向は任意になる。初期始動中、または回路がランモードに入る初期始動後に詰りが起る場合には、回路は、例示的な一実施形態では下記のように機能する。
【００２６】
ユーザが、最初にオン／オフスイッチ１４０を閉じることによってモータ１１９と電子回路３００に電力を加えるときに、回転部材１１２が、詰りによって速度を上げることができないために、ラン巻線１３０における電流が、所定のレベル未満に落ちない場合には、回路３００は、詰り排除モードに入る。回路３００は、継電器３１０を逆回転方向に切り替え、始動巻線１３２を５００ｍｓだけ作動し、４０ｍｓ後に詰り排除回路を５００ｍｓの２００ｍｓの間作動する。詰り排除回路は、始動巻線１３２の両端間で並列の簡単なＳＣＲ３１２から構成される。次いで、電子回路３００は、ラン巻線１３０における電流レベルを検査する。電流が３００ｍｓ以内で所定のレベル未満に落ちない場合には、回路は、継電器３１０を切り替え回転方向を逆転し、詰りが解放されてラン巻線１３０の電流が落ちるか、またはユーザがオン／オフスイッチ１４０をオフ位置に切り替えるか、またはモータプロテクタのスイッチが開くまで、上述のように詰り排除回路を作動する。
【００２７】
脈動トルクモード中に、ＳＣＲ３１２は、正または負の半サイクルの間だけトリガされる。ＳＣＲ３１２がオンであるとき、始動巻線１３２は作動されず、モータ始動コンデンサ１３４は、加えられた電圧に充電中である。次の半波中に、ＳＣＲ３１２は作動されない。始動巻線１３２は、モータの始動コンデンサ１３４と直列であり、始動コンデンサ１３４は、印加される電圧に加わる電圧に充電されている。この作用、および始動巻線１３０とラン巻線１３２との相対位相関係は、小さなトルクを発生させて一時的にモータ１１９を逆転させ、次いで回転部材にはるかに大きな正のトルクを加える。この正のトルクは、モータ１１９の通常の始動トルクの２倍〜５倍も大きくなることもある。モータ巻線を通じて引き出される電流は、回転部材が詰まっているときの電流値よりもいくらか低い。そのわけは、始動巻線１３２が作動しているのみで、交流電流の半サイクル置きに電流の流れを可能にするからである。詰まった状況中では、熱プロテクタが約７秒間開いて、モータ巻線の過熱を防止する。脈動トルクでは解決できない詰りが生じた場合には、熱プロテクタが電力を除去して、約７秒間で詰り排除モードを終える。この時点で、ユーザは、プロテクタをリセットして詰りを手動で除去しなければならない。
【００２８】
ユーザが、最初にオン／オフスイッチ１４０を閉じることによってモータ１１９および電子回路３００に電力を加えるときに、電子回路３００がランモードになるが、詰りのためにラン巻線１３０における電流が、所定のレベルを超える場合には、回路３００は、継電器３１０を切り替え回転方向を逆転し、ラン電流を監視して、ユニットの逆転が詰りを解放したかどうかを決定する。電流が、逆転後に設定点より上にある場合には、電子回路は、５００ｍｓ間だけ同じ回転方向に始動巻線を再作動し、４０ｍｓ後に、詰り排除回路を５００ｍｓの２００ｍｓ間（またはその他のある所定の時間期間で）作動する。次いで、電子回路は、ラン巻線における電流レベルを検査する。電流が、３００ｍｓ以内に所定のレベル未満に落ちない場合には、回路３００は、継電器３１０を切り替えて回転方向を逆転し、詰りが解放されてラン巻線の電流が落ちるか、またはモータプロテクタが開くか、または消費者がオン／オフスイッチをオフ位置に切り替えるまで、上述のように詰り排除回路を作動する。
【００２９】
図６に示す代替実施形態では、遠心作動器４１０が、モータ１１９を通常の状況下で始動可能にする。図６を参照して、回路４００の機能を下記に説明する。
【００３０】
ディスポーザが使用されないときには、オン／オフスイッチ１４０は開いており、プロテクタ４１２の接点と遠心作動器（Ｃ／Ａ）スイッチ４１０の接点は閉じている。ユーザが、オン／オフスイッチ１４０を閉じることによってモータ１１９に電力を加えると、始動巻線１３２は、始動コンデンサ１３４を通じて通電され、モータ１１９は始動する。始動巻線１３２は、プロテクタ４１２とＣ／Ａ４１０のスイッチが閉じたままである間は通電される。通常の始動状況下では、Ｃ／Ａスイッチ４１０は、モータシャフトの速度が約１０００ＲＰＭに達すると開く。これは、平均して７０ミリ秒の間に起る。同時にオン／オフスイッチ１４０は閉じて、電力は、Ｃ／Ａスイッチ４１０を通じて詰り排除回路に加えられる。詰り排除回路は、５０％のデューティサイクルで２．５Ｈｚの方形波を生成する簡単な発振器（５５５）４２０と、始動巻線１３２両端に並列になっているＳＣＲ４２２から構成される。
【００３１】
発振器４２０は、最初の２００ミリ秒間で、出力がロー状態（またはオフ）になって、次の２００ミリ秒で、出力がハイに切り替えられるように構成されている。このシーケンスは、Ｃ／Ａスイッチ４１０、オン／オフスイッチ１４０、またはプロテクタ４１２を開くことによって、電力が回路から除去されるまで無期限に続く。発振器４２０がロー状態にあるときには、ＳＣＲ４２２はゲートオフされ、始動巻線１３２はその通常モードで動作できるようになる。発振器４２０がハイ状態にあるときには、ＳＣＲ４２２はゲートオンされ、始動巻線１３２を分路し、こうして脈動トルクモードが生成される。通常の始動状況下では、Ｃ／Ａスイッチ４１０が平均して７０ミリ秒の間に開くので、電力が２００ミリ秒の遷移点の前に除去されるので、発振器４２０には、ハイ状態に達する時間が決してないはずである。
【００３２】
しかし、詰りがある場合には、モータ１１９は加速することができず、Ｃ／Ａスイッチ４１０は、２００ミリ秒の間に開かれない。この時点で、発振器４２０は、ハイ状態に遷移し、ＳＣＲ４２２をゲートオンし、脈動トルクを生成する。脈動トルクは、詰りの解決を試みて、２００ミリ秒（またはあるその他の適切な所定の時間期間）だけ生成される。２００ミリ秒後に詰りが解決された場合には、モータ１１９は通常のように加速して、続く発振器ロー状態中にＣ／Ａスイッチ４１０を開くことができる。これは、発振器サイクルを終了させる。詰りが解決されない場合には、発振器４２０は、２００ミリ秒オン、２００ミリ秒オフのレート（２．５Ｈｚ）で、脈動トルクの生成を実行し続ける。
【００３３】
モータ１１９が速度を上げた後に詰りが起った場合には、モータ回転数が、約８００ＲＰＭのＣ／Ａスイッチ４１０閉鎖速度未満に落ちたときに、詰り排除回路が作動する。これが起ると、脈動トルクが、詰りが解決されるか、または熱プロテクタ４１２が開くまで、上述のように２００ミリ秒オン、２００ミリ秒オフのレートで生成される。
【００３４】
上に開示した特定の実施形態は、本発明は、本明細書における教示の利益を得る当業者には明らかな様々な、しかし等価の方法で修正されまたは実施されてもよいので、単に例証的なものである。さらにまた、特許請求の範囲に記載されたものは別にして、本明細書に示した構成または設計を詳細に限定する意図はない。したがって、上に開示された特定の実施形態を、改変または変更することができ、このようなすべての変形は、本発明の範囲と精神の中にあると考えられることは明らかである。したがって、本明細書において探求される保護内容は、特許請求の範囲に述べられているとおりである。
【図面の簡単な説明】
【００３５】
【図１】本開示のいくつかの教示による食品廃棄物ディスポーザを示す概略図である。
【図２】図１に示すシステムの各部分を概念的に図示する概略図である。
【図３】本開示の態様による詰まった回転部材を自動的に解放する方法を概念的に示す簡略化された流れ図である。
【図４Ａ】例示的なモータ制御回路の回路図である。
【図４Ｂ】例示的なモータ制御回路の回路図である。
【図５Ａ】回転する部材における詰りを検知して解放するための方法の流れ図である。
【図５Ｂ】回転する部材における詰りを検知して解放するための方法の流れ図である。
【図６】代替モータ制御回路を示す回路図である。
【図１】
2007534486.tif 000003
【図２】
2007534486.tif 000004
【図３】
2007534486.tif 000005
【図４Ａ】
2007534486.tif 000006
【図４Ｂ】
2007534486.tif 000007
【図５Ａ】
2007534486.tif 000008
【図５Ｂ】
2007534486.tif 000009
【図６】
2007534486.tif 000010
【国際調査報告】
2007534486.tif 000011
2007534486.tif 000012
2007534486.tif 000013